(57)【要約】【課題】  特定の視聴者に対して効率良く広告を表示させることができる広告表示システム、広告表示方法、広告表示プログラムおよび記録媒体を提供することである。【解決手段】  広告表示システム１は、広告表示装置３と、広告枠取引装置２とを含んで構成される。広告枠取引装置２は、コンテンツ記憶部１８と、入札制御部１３と、入札状況記憶部１４と、コンテンツ制御部１７とを含んで構成され、広告表示装置３は、表示記憶部３２と、表示制御部３１とを含んで構成される。広告枠取引装置２は、入札金額によって重み付けされた広告枠を販売する。表示制御部３１は、入札者が希望する表示条件に一致する場合のみに、コンテンツを表示させる。これよって、広告表示装置３は、特定の視聴者に対してコンテンツを効率良く表示させることができる。【選択図】      図１
2011059743.tif 000002
【特許請求の範囲】
【請求項１】
広告を表示可能な広告表示装置と、予め定める時間帯に前記広告表示装置に広告を表示させることができる広告枠が設定され、前記広告枠の競売による取引を管理するための広告枠取引装置とを含んで構成される広告表示システムであって、
前記広告枠取引装置は、
前記広告枠の競売に情報通信網を介する通信によって参加する入札者を識別するための識別情報と、広告枠に表示されるべき広告を表す広告情報とを、互いに関連付けられた状態で記憶する広告記憶部と、
入札者から前記情報通信網を介する通信によって入力される前記入札者の識別情報、前記入札者によって提示された入札金額を表す入札金額情報、および広告を表示させる対象者に関する表示条件を表す表示条件情報に基づいて、広告枠の落札者を決定する入札制御部と、
前記入札制御部に入力された識別情報、入札金額情報、および表示条件情報を、互いに関連付けられた状態で記憶する入札状況記憶部と、
前記競売期間の終了後に、前記入札状況記憶部に記憶される広告枠を落札した入札者の入札金額情報および表示条件情報と、前記広告記憶部に記憶される広告枠を落札した入札者の広告情報とを、互いに関連付けられた状態で前記広告表示装置へ送信する広告制御部とを含み、
前記広告表示装置は、
前記広告枠取引装置の広告制御部から送信された入札金額情報、表示条件情報、および広告情報を、互いに関連付けられた状態で記憶する表示記憶部と、
広告表示装置の近傍を撮影する映像撮影部から映像が入力され、入力された映像が、前記表示記憶部に記憶される表示条件情報が示す表示条件に一致するものであるか否かを判定し、一致するものであると判定した場合、その表示条件を表わす表示条件情報に関連付けられた広告情報が示す広告を、その広告情報の数と入札金額情報とに基づいて表示させ、一致しないものであると判定した場合、前記表示記憶部に記憶される広告情報が示す広告を表示させない表示制御部とを含むことを特徴とする広告表示システム。
【請求項２】
前記広告枠取引装置は、入札者の識別情報と、入札者の連絡先を表す連絡先情報とを、互いに関連付けられた状態で記憶する入札者情報記憶部をさらに含み、
前記広告枠取引装置の入札制御部は、前記入札者情報記憶部に記憶される入札者の連絡先情報が示す連絡先へ、前記入札状況記憶部に記憶される入札金額情報および表示条件情報を送信することを特徴とする請求項１に記載の広告表示システム。
【請求項３】
前記表示制御部による前記広告の表示は、前記一致すると判定した表示条件に関連付けられた広告の数と入札金額とに基づいて、広告を表示させる時間の長さの割合が算出され、算出された時間の長さの割合に応じて行われることを特徴とする請求項１または２に記載の広告表示システム。
【請求項４】
前記表示制御部による前記広告の表示は、前記一致すると判定した表示条件に関連付けられた広告の数と入札金額とに基づいて、広告を表示させる表示回数の割合が算出され、算出された表示回数の割合に応じて行われることを特徴とする請求項１または２に記載の広告表示システム。
【請求項５】
前記表示制御部は、入札金額が低額の広告よりも入札金額が高額の広告を、時間的に先に表示させることを特徴とする請求項３または４に記載の広告表示システム。
【請求項６】
前記表示制御部による前記広告の表示は、前記一致すると判定した表示条件に関連付けられた広告の数と入札金額とに基づいて、広告を表示させる領域の面積割合が算出され、算出された面積割合に応じて行われることを特徴とする請求項１または２に記載の広告表示システム。
【請求項７】
前記表示制御部は、入札金額が低額の広告よりも入札金額が高額の広告の面積割合を大きくして、前記領域に表示させることを特徴とする請求項６に記載の広告表示システム。
【請求項８】
前記表示条件は、年齢および性別によって特定され、
前記表示制御部は、前記入力された映像の中に人が撮影されている場合、前記人の年齢および性別を判断し、判断した年齢および性別に基づいて、入力された映像が前記表示条件に一致するか否かを判定することを特徴とする請求項１〜７のいずれか１つに記載の広告表示システム。
【請求項９】
予め定める時間帯に広告表示装置に広告を表示させることができる広告枠が設定されて、前記広告枠の競売による取引を管理するための広告枠取引段階と、前記広告枠取引段階によって取引された広告枠に広告を表示させる広告表示段階とを含む広告表示方法であって、
前記広告枠取引段階は、
前記広告枠の競売に情報通信網を介する通信によって参加する入札者を識別するための識別情報と、広告枠に表示されるべき広告を表す広告情報とを、互いに関連付けられた状態で記憶する広告記憶工程と、
入札者から前記情報通信網を介する通信によって入力される前記入札者の識別情報、前記入札者によって提示された入札金額を表す入札金額情報、および広告を表示させる対象者に関する表示条件を表す表示条件情報に基づいて、広告枠の落札者を決定する入札制御工程と、
前記入札制御工程によって入力された識別情報、入札金額情報、および表示条件情報を、互いに関連付けられた状態で記憶する入札状況記憶工程と、
前記競売期間の終了後に、前記入札状況記憶工程によって記憶された広告枠を落札した入札者の入札金額情報および表示条件情報と、前記広告記憶工程によって記憶された広告枠を落札した入札者の広告情報とを、互いに関連付けられた状態で前記広告表示装置へ送信する広告制御工程とを含み、
前記広告表示段階は、
前記広告枠取引段階の広告制御工程によって送信された入札金額情報、表示条件情報、および広告情報を、互いに関連付けられた状態で記憶する表示記憶工程と、
広告表示装置の近傍を撮影する映像撮影部から映像が入力され、入力された映像が、前記表示記憶工程によって記憶された表示条件情報が示す表示条件に一致するものであるか否かを判定し、一致するものであると判定した場合、その表示条件を表わす表示条件情報に関連付けられた広告情報が示す広告を、その広告情報の数と入札金額情報とに基づいて表示させ、一致しないものであると判定した場合、前記表示記憶によって記憶された広告情報が示す広告を表示させない表示制御工程とを含むことを特徴とする広告表示方法。
【請求項１０】
コンピュータを、請求項１〜８のいずれか１つに記載の広告表示システムとして機能させるための広告表示プログラム。
【請求項１１】
請求項１０に記載の広告表示プログラムを記録したコンピュータ読み取り可能な記録媒体。
【発明の詳細な説明】
【技術分野】
【０００１】
本発明は、競売による広告枠の取引を管理し、取引した広告枠に広告を表示させる広告表示システム、広告表示方法、広告表示プログラムおよび記録媒体に関する。
【背景技術】
【０００２】
図２１は、従来の技術に係る広告枠のオークションシステム６の構成を示す図である。オークションシステム６は、広告枠のオークション、すなわち競売による取引を管理する。特許文献１に記載される広告枠取引装置の一例である広告枠のオークションシステム６は、入札者の端末装置５１と、オークションを管理するオークション管理サーバ５２と、オークションに係る広告枠の情報を管理する広告枠情報管理サーバ５３と、落札者との間で広告枠の取引を行う取引実行システム５４とを含む。
【０００３】
端末装置５１と、オークション管理サーバ５２と、広告枠情報管理サーバ５３と、取引実行システム５４とは、互いにインターネットなどのネットワーク５５によって接続される。オークションシステム６によって、広告枠の販売主と入札者との間で、予め定める広告枠について、オークションによる取引を行うことができる。これによって、オークションシステム６では、広域なネットワーク５５を介して、販売主および入札者を制限することなく、広告枠の取引を行う。
【０００４】
図２２は、従来の技術に係る広告枠取引システム７の構成を示す図である。特許文献２に記載される広告枠取引装置の他の例である広告枠取引システム７は、広告枠の取引を管理する市場管理部５６と、広告の配信を実行する広告送出管理部５７と、広告を表示する視聴者端末５８と、広告枠の情報を登録するメディア端末５９と、希望する広告枠に対して入札を行うスポンサー端末６０とを含む。
【０００５】
スポンサー端末６０とメディア端末５９とは、ネットワークを介して市場管理部５６に接続され、広告枠の取引を行う。市場管理部５６は、スポンサーが配信を希望する広告を登録する。メディア端末５９では、入札が行われる前に、市場管理部５６に登録された広告の承認を行う。これによって、広告枠取引システム７では、落札者の決定後に、メディア端末５９での広告の承認を行うことなく、広告を配信する。
【先行技術文献】
【特許文献】
【０００６】
【特許文献１】特開２００２−２１６０１７号公報
【特許文献２】特開２００２−１９７２９５号公報
【発明の概要】
【発明が解決しようとする課題】
【０００７】
しかし、特許文献１，２に記載されるオークションシステム６および広告枠取引システム７は、広告枠の販売主が、広告を表示する表示装置および時間帯を広告枠ごとに予め設定している。入札者は、特定の年齢層および性別の視聴者に対して広告を表示させることを希望する場合、競売対象の広告枠について時間帯および表示装置の設置場所などを予め調査して、競売に参加しなければならない。また、入札を行う前に予め調査したとしても、広告枠の落札後に広告を表示させたときに、落札者の希望する視聴者が広告を確実に視聴するとは限らない。
【０００８】
本発明の目的は、特定の視聴者に対して効率良く広告を表示させることができる広告表示システム、広告表示方法、広告表示プログラムおよび記録媒体を提供することである。
【課題を解決するための手段】
【０００９】
本発明は、広告を表示可能な広告表示装置と、予め定める時間帯に前記広告表示装置に広告を表示させることができる広告枠が設定され、前記広告枠の競売による取引を管理するための広告枠取引装置とを含んで構成される広告表示システムであって、
前記広告枠取引装置は、
前記広告枠の競売に情報通信網を介する通信によって参加する入札者を識別するための識別情報と、広告枠に表示されるべき広告を表す広告情報とを、互いに関連付けられた状態で記憶する広告記憶部と、
入札者から前記情報通信網を介する通信によって入力される前記入札者の識別情報、前記入札者によって提示された入札金額を表す入札金額情報、および広告を表示させる対象者に関する表示条件を表す表示条件情報に基づいて、広告枠の落札者を決定する入札制御部と、
前記入札制御部に入力された識別情報、入札金額情報、および表示条件情報を、互いに関連付けられた状態で記憶する入札状況記憶部と、
前記競売期間の終了後に、前記入札状況記憶部に記憶される広告枠を落札した入札者の入札金額情報および表示条件情報と、前記広告記憶部に記憶される広告枠を落札した入札者の広告情報とを、互いに関連付けられた状態で前記広告表示装置へ送信する広告制御部とを含み、
前記広告表示装置は、
前記広告枠取引装置の広告制御部から送信された入札金額情報、表示条件情報、および広告情報を、互いに関連付けられた状態で記憶する表示記憶部と、
広告表示装置の近傍を撮影する映像撮影部から映像が入力され、入力された映像が、前記表示記憶部に記憶される表示条件情報が示す表示条件に一致するものであるか否かを判定し、一致するものであると判定した場合、その表示条件を表わす表示条件情報に関連付けられた広告情報が示す広告を、その広告情報の数と入札金額情報とに基づいて表示させ、一致しないものであると判定した場合、前記表示記憶部に記憶される広告情報が示す広告を表示させない表示制御部とを含むことを特徴とする広告表示システムである。
【００１０】
また本発明は、前記広告枠取引装置は、入札者の識別情報と、入札者の連絡先を表す連絡先情報とを、互いに関連付けられた状態で記憶する入札者情報記憶部をさらに含み、
前記広告枠取引装置の入札制御部は、前記入札者情報記憶部に記憶される入札者の連絡先情報が示す連絡先へ、前記入札状況記憶部に記憶される入札金額情報および表示条件情報を送信することを特徴とする。
【００１１】
また本発明は、前記表示制御部による前記広告の表示は、前記一致すると判定した表示条件に関連付けられた広告の数と入札金額とに基づいて、広告を表示させる時間の長さの割合が算出され、算出された時間の長さの割合に応じて行われることを特徴とする。
【００１２】
また本発明は、前記表示制御部による前記広告の表示は、前記一致すると判定した表示条件に関連付けられた広告の数と入札金額とに基づいて、広告を表示させる表示回数の割合が算出され、算出された表示回数の割合に応じて行われることを特徴とする。
【００１３】
また本発明は、前記表示制御部は、入札金額が低額の広告よりも入札金額が高額の広告を、時間的に先に表示させることを特徴とする。
【００１４】
また本発明は、前記表示制御部による前記広告の表示は、前記一致すると判定した表示条件に関連付けられた広告の数と入札金額とに基づいて、広告を表示させる領域の面積割合が算出され、算出された面積割合に応じて行われることを特徴とする。
【００１５】
また本発明は、前記表示制御部は、入札金額が低額の広告よりも入札金額が高額の広告の面積割合を大きくして、前記領域に表示させることを特徴とする。
【００１６】
また本発明は、前記表示条件は、年齢および性別によって特定され、
前記表示制御部は、前記入力された映像の中に人が撮影されている場合、前記人の年齢および性別を判断し、判断した年齢および性別に基づいて、入力された映像が前記表示条件に一致するか否かを判定することを特徴とする。
【００１７】
また本発明は、予め定める時間帯に広告表示装置に広告を表示させることができる広告枠が設定されて、前記広告枠の競売による取引を管理するための広告枠取引段階と、前記広告枠取引段階によって取引された広告枠に広告を表示させる広告表示段階とを含む広告表示方法であって、
前記広告枠取引段階は、
前記広告枠の競売に情報通信網を介する通信によって参加する入札者を識別するための識別情報と、広告枠に表示されるべき広告を表す広告情報とを、互いに関連付けられた状態で記憶する広告記憶工程と、
入札者から前記情報通信網を介する通信によって入力される前記入札者の識別情報、前記入札者によって提示された入札金額を表す入札金額情報、および広告を表示させる対象者に関する表示条件を表す表示条件情報に基づいて、広告枠の落札者を決定する入札制御工程と、
前記入札制御工程によって入力された識別情報、入札金額情報、および表示条件情報を、互いに関連付けられた状態で記憶する入札状況記憶工程と、
前記競売期間の終了後に、前記入札状況記憶工程によって記憶された広告枠を落札した入札者の入札金額情報および表示条件情報と、前記広告記憶工程によって記憶された広告枠を落札した入札者の広告情報とを、互いに関連付けられた状態で前記広告表示装置へ送信する広告制御工程とを含み、
前記広告表示段階は、
前記広告枠取引段階の広告制御工程によって送信された入札金額情報、表示条件情報、および広告情報を、互いに関連付けられた状態で記憶する表示記憶工程と、
広告表示装置の近傍を撮影する映像撮影部から映像が入力され、入力された映像が、前記表示記憶工程によって記憶された表示条件情報が示す表示条件に一致するものであるか否かを判定し、一致するものであると判定した場合、その表示条件を表わす表示条件情報に関連付けられた広告情報が示す広告を、その広告情報の数と入札金額情報とに基づいて表示させ、一致しないものであると判定した場合、前記表示記憶によって記憶された広告情報が示す広告を表示させない表示制御工程とを含むことを特徴とする広告表示方法である。
【００１８】
また本発明は、コンピュータを、前記広告表示システムとして機能させるための広告表示プログラムである。
【００１９】
また本発明は、前記広告表示プログラムを記録したコンピュータ読み取り可能な記録媒体である。
【発明の効果】
【００２０】
本発明によれば、広告表示システムは、広告表示装置と、広告枠取引装置とを含んで構成される。広告表示装置は、広告を表示可能である。広告枠取引装置は、予め定める時間帯に広告表示装置に広告を表示させることができる広告枠が設定され、広告枠の競売による取引を管理する。
【００２１】
広告枠取引装置は、広告記憶部と、入札制御部と、入札状況記憶部と、広告制御部とを含んで構成される。広告記憶部によって、広告枠の競売に情報通信網を介する通信によって参加する入札者を識別するための識別情報と、広告枠に表示されるべき広告を表す広告情報とが、互いに関連付けられた状態で記憶される。入札制御部によって、入札者から情報通信網を介する通信によって入力される入札者の識別情報、入札者によって提示された入札金額を表す入札金額情報、および広告を表示させる対象者に関する表示条件を表す表示条件情報に基づいて、広告枠の落札者が決定される。入札状況記憶部によって、入札制御部に入力された識別情報、入札金額情報、および表示条件情報が、互いに関連付けられた状態で記憶される。広告制御部によって、競売期間の終了後に、入札状況記憶部に記憶される広告枠を落札した入札者の入札金額情報および表示条件情報と、広告記憶部に記憶される広告枠を落札した入札者の広告情報とが、互いに関連付けられた状態で広告表示装置へ送信される。
【００２２】
広告表示装置は、表示記憶部と、表示制御部とを含んで構成される。表示記憶部によって、広告枠取引装置の広告制御部から送信された入札金額情報、表示条件情報、および広告情報が、互いに関連付けられた状態で記憶される。広告表示装置の近傍を撮影する映像撮影部から映像が入力され、入力された映像が、表示制御部によって、表示記憶部に記憶される表示条件情報が示す表示条件に一致するものであるか否かが判定され、一致するものであると判定された場合、その表示条件を表わす表示条件情報に関連付けられた広告情報が示す広告が、その広告情報の数と入札金額情報とに基づいて表示され、一致しないものであると判定された場合、表示記憶部に記憶される広告情報が示す広告が表示されない。
【００２３】
広告表示装置の表示制御部は、表示させる広告の数と入札金額とに応じて広告を表示させるので、広告枠取引装置は、入札金額によって重み付けされた広告枠を販売することができる。これによって、広告枠取引装置は、同じ時間帯の広告枠に複数の入札があったときでも広告枠を複数の入札者に効率良く販売することができる。
【００２４】
また表示制御部は、入札者が希望する表示条件に一致する場合のみに、広告を表示させる。これによって、広告表示装置は、特定の視聴者に対して広告を効率良く表示させることができる。
【００２５】
広告表示システムは、広告枠の販売から広告の表示までを効率良く行うことができ、広告枠の販売に要する手間を可及的に少なくして、広告枠の販売および広告の表示の効率化を図ることができる。
【００２６】
また本発明によれば、広告枠取引装置は、入札者の識別情報と、入札者の連絡先を表す連絡先情報とを、互いに関連付けられた状態で記憶する入札者情報記憶部をさらに含む。広告枠取引装置の入札制御部によって、入札者情報記憶部に記憶される入札者の連絡先情報が示す連絡先へ、入札状況記憶部に記憶される入札金額情報および表示条件情報が送信される。
【００２７】
これによって、入札者は、入札している広告枠について他の入札者の入札状況、たとえば入札金額および表示条件などを確認することができる。したがって、入札者は、たとえば同じ表示条件の競合する入札者が存在する場合、現在の入札金額よりも高額の入札金額を再度提示する、または入札を取消すなどの対応をとることができる。
【００２８】
また本発明によれば、表示制御部による広告の表示は、一致すると判定した表示条件に関連付けられた広告の数と入札金額とに基づいて、広告を表示させる時間の長さの割合が算出され、算出された時間の長さの割合に応じて行われる。
【００２９】
これによって、たとえば複数の落札者が同一の広告枠を落札し、各入札者の表示条件が重複する場合、表示制御部は、各広告を表示する時間の長さの割合をそれぞれ算出する。したがって、表示制御部は、入札金額によって重み付けされた時間の長さによって、各広告を表示することができる。
【００３０】
また本発明によれば、表示制御部による広告の表示は、一致すると判定した表示条件に関連付けられた広告の数と入札金額とに基づいて、広告を表示させる表示回数の割合が算出され、算出された表示回数の割合に応じて行われる。
【００３１】
これによって、たとえば複数の落札者が同一の広告枠を落札し、各入札者の表示条件が重複する場合、表示制御部は、各広告を表示させる表示回数の割合をそれぞれ算出する。したがって、表示制御部は、入札金額によって重み付けされた表示回数によって、各広告を表示することができる。
【００３２】
また本発明によれば、表示制御部によって、入札金額が低額の広告よりも入札金額が高額の広告が、時間的に先に表示される。
【００３３】
これによって、表示制御部は、入札金額が高額の広告を先に表示して広告表示装置の近傍の視聴者に視聴させるので、入札金額が高額の広告の訴求効果を高めることができる。
【００３４】
また本発明によれば、表示制御部による広告の表示は、一致すると判定した表示条件に関連付けられた広告の数と入札金額とに基づいて、広告を表示させる領域の面積割合が算出され、算出された面積割合に応じて行われる。
【００３５】
これによって、たとえば複数の落札者が同一の広告枠を落札し、各入札者の表示条件が重複する場合、表示制御部は、各広告を表示させる領域の面積割合をそれぞれ算出する。したがって、表示制御部は、入札金額によって重み付けされた表示領域の大きさによって、各広告を表示することができる。
【００３６】
また本発明によれば、表示制御部によって、入札金額が低額の広告よりも入札金額が高額の広告の面積割合が大きくされ、前記領域に表示される。
【００３７】
これによって、表示制御部は、入札金額が高額の広告を大きく表示させるので、入札金額が高額の広告の訴求効果を高めることができる。
【００３８】
また本発明によれば、表示条件は、年齢および性別によって特定される。表示制御部に入力された映像の中に人が撮影されている場合、表示制御部によって、人の年齢および性別が判断され、判断された年齢および性別に基づいて、入力された映像が表示条件に一致するか否かが判定される。
【００３９】
これによって、広告表示システムは、落札者の広告を視聴者の年齢および性別に応じて適切に表示し、広告の訴求効果を高めることができる。
【００４０】
また本発明によれば、広告表示方法は、広告表示段階と、広告枠取引段階とを含む。広告枠取引段階では、予め定める時間帯に広告を表示可能な広告表示装置に広告を表示させることができる広告枠が設定されて、広告枠の競売による取引を管理する。広告表示段階では、広告を表示可能である。
【００４１】
広告枠取引段階は、広告記憶工程と、入札制御工程と、入札状況記憶工程と、広告制御工程とを含む。広告記憶工程によって、広告枠の競売に情報通信網を介する通信によって参加する入札者を識別するための識別情報と、広告枠に表示されるべき広告を表す広告情報とが、互いに関連付けられた状態で記憶される。入札制御工程によって、入札者から情報通信網を介する通信によって入力される入札者の識別情報、入札者によって提示された入札金額を表す入札金額情報、および広告を表示させる対象者に関する表示条件を表す表示条件情報に基づいて、広告枠の落札者が決定される。入札状況記憶工程によって、入札制御工程で入力された識別情報、入札金額情報、および表示条件情報が、互いに関連付けられた状態で記憶される。広告制御工程によって、競売期間の終了後に、入札状況記憶工程で記憶される広告枠を落札した入札者の入札金額情報および表示条件情報と、広告記憶工程で記憶される広告枠を落札した入札者の広告情報とが、互いに関連付けられた状態で広告表示装置へ送信される。
【００４２】
広告表示段階は、表示記憶工程と、表示制御工程とを含んで構成される。表示記憶工程によって、広告枠取引段階の広告制御工程で送信された入札金額情報、表示条件情報、および広告情報が、互いに関連付けられた状態で記憶される。広告表示装置の近傍を撮影する映像撮影部から映像が入力され、入力された映像が、表示制御工程によって、表示記憶工程で記憶された表示条件情報が示す表示条件に一致するものであるか否かが判定され、一致するものであると判定された場合、その表示条件を表わす表示条件情報に関連付けられた広告情報が示す広告が、その広告情報の数と入札金額情報とに基づいて表示され、一致しないものであると判定された場合、表示記憶工程で記憶された広告情報が示す広告が表示されない。
【００４３】
広告表示段階の表示制御工程では、表示させる広告の数と入札金額とに基づいて広告を表示させるので、広告枠取引段階では、入札金額によって重み付けされた広告枠を販売することができる。これによって、広告枠取引段階では、同じ時間帯の広告枠に複数の入札があったときでも広告枠を複数の入札者に効率良く販売することができる。
【００４４】
また表示制御段階では、入札者が希望する表示条件に一致する場合のみに、広告を表示させる。これによって、広告表示段階では、特定の視聴者に対して広告を効率良く表示させることができる。
【００４５】
広告表示方法は、広告枠の販売から広告の表示までを効率良く行うことができ、広告枠の販売に要する手間を可及的に少なくして、広告枠の販売および広告の表示の効率化を図ることができる。
【００４６】
また本発明によれば、広告表示プログラムは、コンピュータを、前記広告表示システムとして機能させる。これによって、コンピュータを、広告表示システムとして機能させる広告表示プログラムを提供することができる。
【００４７】
また本発明によれば、コンピュータ読み取り可能な記録媒体は、前記広告表示プログラムを記録する。これによって、広告表示プログラムを記録するコンピュータ読み取り可能な記録媒体を提供することができる。
【図面の簡単な説明】
【００４８】
【図１】本発明の第１実施形態に係る広告表示システム１の構成を示すブロック図である。
【図２】コンテンツ記憶部１８に記憶される登録コンテンツ情報４１の一例を示す図である。
【図３】入札者情報記憶部１５に記憶される入札者情報４２の一例を示す図である。
【図４】入札状況記憶部１４に記憶される入札状況情報４３の一例を示す図である。
【図５】広告枠記憶部１６に記憶される広告枠確定情報４４の一例を示す図である。
【図６】広告表示装置３の詳細な構成を示すブロック図である。
【図７】表示記憶部３２に記憶される表示判断情報およびコンテンツ情報の一例を示す図である。
【図８】広告表示装置３が行うコンテンツの表示を説明するための図である。
【図９】条件判断部３７が行うコンテンツの表示方法を説明するための図である。
【図１０】入札者が入札者端末２６によって行う処理を示すフローチャートである。
【図１１】広告枠取引装置２が入札者端末２６との間で行う処理を示すフローチャートである。
【図１２】コンテンツ制御部１７が行う処理を示すフローチャートである。
【図１３】表示装置が行う処理を示すフローチャートである。
【図１４】図１３のステップｄ８での処理を詳細に説明するためのフローチャートである。
【図１５】図１４のステップｅ１６での処理を詳細に説明するためのフローチャートである。
【図１６】本発明の第２実施形態に係る条件判断部３７が行うコンテンツの表示方法を説明するための図である。
【図１７】条件判断部３７が行う図１４のステップｅ１６での処理を詳細に説明するためのフローチャートである。
【図１８】本発明の第３実施形態に係る条件判断部３７が行うコンテンツの表示方法を説明するための図である。
【図１９】条件判断部３７が行う図１４のステップｅ１６での処理を詳細に説明するためのフローチャートである。
【図２０】条件判断部３７が行う図１３のステップｄ１４での処理を詳細に説明するためのフローチャートである。
【００４９】
【図２１】従来の技術に係る広告枠のオークションシステム６の構成を示す図である。
【図２２】従来の技術に係る広告枠取引システム７の構成を示す図である。
【発明を実施するための形態】
【００５０】
（第１実施形態）
図１は、本発明の第１実施形態に係る広告表示システム１の構成を示すブロック図である。広告表示システム１は、広告枠取引装置２と、広告表示装置３とを含んで構成される。広告枠取引装置２は、入札者認証部１１と、通信部１２と、入札制御部１３と、入札状況記憶部１４と、入札者情報記憶部１５と、広告枠記憶部１６と、コンテンツ制御部１７と、コンテンツ記憶部１８と、コンテンツ登録部１９と、料金徴収部２０と、コンテンツ送信部２１と、表示条件送信部２２とを含んで構成される。広告表示装置３は、表示制御部３１と、表示記憶部３２と、表示駆動部３３と、表示部３４とを含んで構成される。
【００５１】
広告枠取引装置２と広告表示装置３とは、互いに接続される。広告枠取引装置２には、入札者端末２６が接続され、広告表示装置３には、映像撮影部３９が接続される。本発明の広告表示方法は、広告表示システム１によって実行され、広告表示方法は、広告枠取引段階と、広告表示段階とを含む。
【００５２】
広告枠取引装置２は、半導体メモリおよびハードディスク装置などの図示しない記憶装置と、図示しない中央処理装置（Central Processing Unit：以下「ＣＰＵ」という）とを含むコンピュータシステムによって構成される。広告枠取引装置２は、１つのコンピュータシステムによって実現する構成にしてもよく、複数のコンピュータシステムによって実現して互いにＬＡＮ（Local Area Network）またはＷＡＮ（Wide Area Network）などのネットワークを通じてデータの送受信を行う構成にしてもよい。
【００５３】
広告枠取引装置２は、予め定める時間帯ごとの広告枠についてのオークション、すなわち競売による取引を管理する。広告枠とは、予め定められた時間帯に、広告表示装置３の表示部３４に広告を表示させることができる権利をいう。広告主は、オークションの入札を行う前に、オークションの管理者に、広告表示装置３への表示を希望する広告を提出し、オークションへの参加の承認を求める。管理者は、広告主に対して、オークションに参加するために用いる識別情報であるＩＤ（Identification）およびパスワードを通知する。
【００５４】
オークションへの入札を行っている広告主を、以後「入札者」ともいう。オークションに入札している入札者のうち、オークション期間が終了して広告枠を落札した入札者を、以後「落札者」ともいう。広告は、静止画像または動画像などの映像からなり、たとえば商品または興行物などを多くの人に知らしめるためのものである。以後、広告を「コンテンツ」といい、広告を表す広告情報を「コンテンツデータ」という。
【００５５】
広告登録部であるコンテンツ登録部１９は、オークションが開始される前に入札者から予め提出されたコンテンツを登録する。コンテンツ登録部１９は、図示しない表示手段および図示しない入出力手段を有する。管理者は、表示手段によって、広告主から提出されたコンテンツの内容を予め確認し、コンテンツの内容が適切であるか否かを判断することができる。具体的には、管理者は、コンテンツの内容が著作権など第３者の権利を侵害するものでないか否か、コンテンツの内容が広告表示装置３の設置場所に相応しい内容であるか否かなどを判断する。管理者によって適切であると判断されたコンテンツが、コンテンツ記憶部１８に記憶されることによって、コンテンツの登録処理が完了する。
【００５６】
また、本実施形態の広告枠取引装置２は、オークション開始前に管理者によってコンテンツの確認が行われるけれども、他の実施形態においては、オークション期間中、すなわちオークションの開始後からオークション終了までの間に、管理者によってコンテンツの確認が行われる構成であってもよい。
【００５７】
広告記憶部であるコンテンツ記憶部１８は、たとえばハードディスクドライブ、光ディスクドライブ、ＲＡＭ（Random Access Memory）などのメモリによって実現される。コンテンツ記憶部１８は、管理者によって適切であると判断されたコンテンツを記憶する。コンテンツ記憶部１８は、入札者のコンテンツを表すコンテンツデータと、入札者のＩＤを表す識別情報とを互いに関連付けられた状態で記憶する。コンテンツは、コンテンツ登録部１９からコンテンツ制御部１７を介してコンテンツ記憶部１８に送られる。
【００５８】
図２は、コンテンツ記憶部１８に記憶される登録コンテンツ情報４１の一例を示す図である。登録コンテンツ情報４１は、入札者のＩＤを示す項目４１ａと、コンテンツデータを示す項目４１ｂとを含む。たとえば登録コンテンツ情報４１は、入札者ＡのＩＤとコンテンツデータとを互いに関連付け、入札者ＢのＩＤとコンテンツデータとを互いに関連付け、入札者ＣのＩＤとコンテンツデータとを互いに関連付け、ｎ番目の入札者のＩＤとコンテンツデータとを互いに関連付けていることを示す。「ｎ」は自然数を示し、入札者がｎ人いる場合、コンテンツ記憶部１８によって、ｎ人全員のＩＤとコンテンツデータとが関連付けられる。
【００５９】
通信部１２は、入出力インターフェイスなどを含んで構成され、たとえばＬＡＮまたはＷＡＮなどの情報通信網２８によって、入札者端末２６に接続される。入札制御部１３が指示することによって、通信部１２と入札者端末２６とは、ネットワークを介して互いに通信可能である。入札者端末２６から入力された情報は、通信部１２を介して、入札制御部１３に送られる。
【００６０】
入札者端末２６は、たとえばパーソナルコンピュータ、携帯電話、ＰＤＡ（Personal
Digital Assistance）などによって実現される。図１では、３つの入札者端末２６が通信部１２に接続される構成を示しているけれども、入札者端末２６は１つ以上の任意の数で構成することができる。広告主は、オークション期間中に、入札者端末２６から入札条件を入力することによって入札を行う。
【００６１】
「入札条件」とは、入札金額、表示時間帯および表示条件などに関する情報である。「入札金額」とは、入札時に提示する広告枠の購入代金のことである。「表示時間帯」は、コンテンツを表示させる時間帯、すなわち２４時間のうちどの時刻からどの時刻の間にコンテンツを表示させるのかを示す。「表示条件」とは、広告を表示させる対象者、すなわち視聴者に関する情報であり、年齢および性別によって視聴者を特定する。
【００６２】
たとえば表示条件のうちの年齢は、「１０歳未満」、「１０代」、「２０代」、「３０代」、「４０代」、「５０代」、および「６０歳以上」の７つに分類される。表示条件のうちの性別は、「男性」および「女性」の２つに分類される。表示条件を設定することなく「表示条件なし」として入札することもできる。「表示条件なし」とは、視聴者の年齢および性別を特定せずに、全ての視聴者に対してコンテンツを表示させることをいう。
【００６３】
本実施形態では、年齢を７つに分類しているけれども、他の実施形態においては、年齢をたとえば５歳ごとなどさらに細かい間隔で設定し、または２０歳ごとなどさらに大きな間隔で設定してもよい。また年齢の設定は、学生など若年層の年齢のみを細かく設定してもよい。これによって、広告枠取引装置２は、コンテンツの内容に応じて、表示条件を設定することができる。
【００６４】
入札者認証部１１は、ＩＤおよびパスワードを用いることによって、入札者が、事前にオークションへの参加の承認を受けている者であるか否かを判断する。入札者認証部１１は、オークションへの参加を承認されていない者が、入札を行うことを防止することができる。
【００６５】
入札者情報記憶部１５は、たとえばハードディスク、光ディスク、ＲＡＭ（Random 
Access Memory）などの情報の記憶が可能なメモリによって実現される。入札者情報記憶部１５は、入札者のＩＤを表わす識別情報と、入札者の連絡先を表す連絡先情報とを、互いに関連付けられた状態で記憶する。ＩＤは、オークションに参加する入札者を識別するための識別情報である。入札者は、初めて入札を行うとき、またはオークションへの参加の承認を求めるときなどに、入札者の連絡先、たとえば電子メールのアドレスなどを登録する。
【００６６】
図３は、入札者情報記憶部１５に記憶される入札者情報４２の一例を示す図である。入札者情報４２は、入札者のＩＤを示す項目４２ａと、連絡先を示す項目４２ｂとを含む。たとえば入札者情報４２は、入札者ＡのＩＤと電子メールのアドレスとを互いに関連付け、入札者ＡのＩＤと電子メールのアドレスとを互いに関連付け、入札者ＡのＩＤと電子メールのアドレスとを互いに関連付けていることを示す。
【００６７】
入札制御部１３は、入札者端末２６から通信部１２を介して入力される入札者のＩＤ、入札金額、表示時間帯、および表示条件を表す各情報に基づいて、広告枠の落札者を決定する。入札制御部１３は、同じ時間帯の広告枠に新たな入札、または入札金額の変更があると、各入札者の連絡先に、各入札者の入札金額および表示条件を通知する。入札制御部１３は、同じ広告枠に複数の入札者が入札している場合、オークション期間の終了時に入札者全員を落札者と決定する。
【００６８】
他の実施形態において、入札制御部１３は、落札条件を予め設定しておき、この落札条件に従って落札者を決定してもよい。たとえば入札制御部１３は、落札条件として落札者の人数を予め設定し、入札金額が高額の入札者から順次的に、予め定める人数の落札者を決定してもよい。また入札制御部１３は、落札条件として入札価格の下限値である最低入札価格を設定し、最低入札価格以上の入札金額を提示した入札者を落札者として決定してもよい。
【００６９】
入札状況記憶部１４は、たとえばハードディスク、光ディスク、ＲＡＭなどの情報の記憶が可能なメモリによって実現される。入札状況記憶部１４は、予め定める時間帯の広告枠ごとに、入札者のＩＤを表す識別情報と、入札金額を表す入札金額情報と、表示条件を表す表示条件情報とを、互いに関連付けられた状態で記憶する。
【００７０】
図４は、入札状況記憶部１４に記憶される入札状況情報４３の一例を示す図である。入札状況情報４３は、日付および時間帯によって特定される広告枠についての、入札者のＩＤを示す項目４３ａと、入札金額を示す項目４３ｂと、年齢層を示す項目４３ｃと、性別を示す項目４３ｄを含む。年齢層と性別とは、表示条件である。
【００７１】
たとえば入札状況情報４３は、５月６日の第４時間帯の広告枠について、入札者Ａの入札金額が１０００円、表示条件の年齢層が１０代および２０代、表示条件の性別が男であることを示し、入札者Ｂの入札金額が１５００円、表示条件の年齢層が２０代および３０代、表示条件の性別が男および女であることを示し、入札者Ｃの入札金額が５００円、表示条件の年齢層が４０代、表示条件の性別が男および女であることを示している。
【００７２】
広告枠記憶部１６は、たとえばハードディスク、光ディスク、ＲＡＭなどの情報の記憶が可能なメモリによって実現される。広告枠記憶部１６は、オークションの入札期間が終了すると、入札状況記憶部１４に記憶されている入札状況情報４３、すなわち入札者のＩＤを表す識別情報と、入札金額を表す入札金額情報と、表示条件を表す表示条件情報とを、互いに関連付けられた状態で記憶する。オークションは、予め定める時間帯の広告枠ごとに行われるので、広告枠記憶部１６は、オークションが終了した広告枠について、入札状況記憶部１４に記憶されている入札状況情報４３を順次記憶する。これによって、広告枠記憶部１６は、広告表示装置３がコンテンツを表示させる予定表を作成することができる。
【００７３】
図５は、広告枠記憶部１６に記憶される広告枠確定情報４４の一例を示す図である。広告枠確定情報４４は、コンテンツを表示する日付を示す項目４４ａと、コンテンツを表示する時間帯を示す項目４４ｂとを含む。たとえば、日付を示す項目４４ａには、「４／１」、「４／２」などが示され、時間帯を示す項目４４ｂには、「第１時間帯」、「第２時間帯」、「第３時間帯」、「第４時間帯」、「第５時間帯」、「第６時間帯」、……、「第ｎ時間帯」が示される。
【００７４】
たとえば各広告枠の時間の長さを１時間に設定した場合、１日には２４の広告枠が存在することになり、「ｎ」は２４となる。広告枠確定情報４４の日付および時間帯によって特定される各広告枠には、入札期間が終了した時点での入札状況記憶部１４に記憶されている入札状況情報４３がそれぞれ入力される。広告枠確定情報４４は、広告表示装置３がコンテンツを表示させる予定表である。
【００７５】
コンテンツ制御部１７は、オークション期間の終了後、広告枠記憶部１６に記憶される広告枠を落札した落札者の識別情報、入札金額情報、および表示条件情報と、広告記憶部に記憶される広告枠を落札した落札者の広告情報とを、互いに関連付けられた状態で広告表示装置３へ送信する。
【００７６】
具体的には、コンテンツ制御部１７は、コンテンツ記憶部１８からコンテンツデータおよび識別情報を読み出して、この読み出したコンテンツデータと識別情報とを互いに関連付けられた状態で、コンテンツ送信部２１を介して広告表示装置３へ送信する。コンテンツ制御部１７は、広告枠記憶部１６から落札者の識別情報、入札金額情報、および表示条件情報を読み出して、この読み出した識別情報、入札金額情報、および表示条件情報を互いに関連付けられた状態で、表示条件送信部２２を介して広告表示装置３へ送信する。前述のように、入札者の識別情報、入札金額情報、および表示条件情報は、オークション期間中には入札状況記憶部１４に記憶され、オークション期間終了後には広告枠記憶部１６に記憶される。
【００７７】
コンテンツ送信部２１は、入出力インターフェイスなどを含んで構成され、たとえばＷＡＮ、ＬＡＮなどの通信線２９によって、広告表示装置３と互いに接続される。コンテンツ送信部２１は、コンテンツ制御部１７の指示によって、落札者のコンテンツデータと識別情報とを互いに関連付けられた状態で広告表示装置３へ送信する。
【００７８】
表示条件送信部２２は、入出力インターフェイスなどを含んで構成され、たとえばＷＡＮ、ＬＡＮなどの通信線２９によって、広告表示装置３と互いに接続される。表示条件送信部２２は、コンテンツ制御部１７の指示によって、落札者の識別情報と、入札金額情報と、表示条件情報とを互いに関連付けられた状態で広告表示装置３へ送信する。
【００７９】
コンテンツ制御部１７は、オークション期間が終了して広告枠が落札されると、広告枠を落札した時の入札金額である落札金額を落札者から徴収するように料金徴収部２０に指示を与える。料金徴収部２０は、たとえば落札者の銀行口座からの引き落とし、またはクレジットカードによる決済などによって、落札者から落札代金を徴収する。
【００８０】
図６は、広告表示装置３の詳細な構成を示すブロック図である。表示制御部３１は、年齢判断部３５と、性別判断部３６と、条件判断部３７と、コンテンツ選択部３８とを含んで構成される。広告表示装置３は、たとえば交通機関、公共施設、店頭などに設置されるデジタルサイネージ（Digital Signage：電子看板）である。広告表示装置３は、デジタルサイネージのみに限らず、テレビ放送、データ放送、Ｗｅｂサイトなどを表示する装置によって構成してもよい。
【００８１】
広告表示装置３は、半導体メモリおよびハードディスク装置などの図示しない記憶装置と、図示しないＣＰＵとを有するコンピュータシステムを含んで構成される。広告表示装置３は、１つのコンピュータシステムによって実現する構成にしてもよく、複数のコンピュータシステムによって実現して互いにＬＡＮまたはＷＡＮなどのネットワークを通じてデータの送受信を行う構成にしてもよい。
【００８２】
映像撮影部３９は、たとえばＣＣＤ（Charge Coupled Device）カメラ、ＣＭＯＳ（
Complementary Metal Oxide Semiconductor）カメラなどによって実現され、配線３０によって広告表示装置３の表示制御部３１と互いに接続される。映像撮影部３９は、広告表示装置３の近傍を撮影する。広告表示装置３の近傍とは、広告表示装置３の表示部３４が設置される場所の周辺であって、たとえば表示部３４を視認可能な場所をいう。
【００８３】
映像撮影部３９は、たとえば広告表示装置３の表示部３４の前を通行する視聴者、または表示部３４を視聴している視聴者などを撮影する。映像撮影部３９は、撮影した映像を表示制御部３１に送信する。映像は、静止画像および動画像のうち少なくとも１つによって構成される。本実施形態では、映像撮影部３９と広告表示装置３とは分離して構成されているけれども、他の実施形態では、広告表示装置３が映像撮影部３９を備え、一体として構成されてもよい。
【００８４】
表示記憶部３２は、コンテンツ送信部２１から表示制御部３１へ送信された落札者の識別情報と、コンテンツデータと、表示条件送信部２２から表示制御部３１へ送信された識別情報と、入札金額情報と、表示条件情報とを、互いに関連付けられた状態で記憶する。表示記憶部３２に記憶される識別情報、入札金額情報、および表示条件情報を、以後「表示判断情報」ともいう。
【００８５】
図７は、表示記憶部３２に記憶される表示判断情報およびコンテンツ情報の一例を示す図である。表示記憶部３２は、参照符４５ａによって示す表示判断情報と、参照符４５ｂによって示すコンテンツデータとを互いに関連付けられた状態で記憶する。図７に示した一例は、入札者Ａの表示判断情報とコンテンツデータとを互いに関連付け、入札者Ｂの表示判断情報とコンテンツデータとを互いに関連付け、入札者Ｃの表示判断情報とコンテンツデータとを互いに関連付けていることを示す。
【００８６】
年齢判断部３５は、映像撮影部３９から送信された映像を受信し、受信した映像中に視聴者が含まれている場合、その視聴者の年齢を判断する。年齢判断部３５は、受信した映像を解析して、映像中の視聴者の顔のしわ、身長、および髪の色などから、視聴者の年齢を判断する。年齢判断部３５は、視聴者の年齢を判断すると、判断した視聴者の年齢を表す年齢情報を、条件判断部３７に送る。
【００８７】
性別判断部３６は、映像撮影部３９から送信された映像を受信し、受信した映像中に視聴者が含まれている場合、その視聴者の性別を判断する。性別判断部３６は、受信した映像を解析して、映像中の視聴者の服装、履物、および髪の長さなどから、視聴者の性別を判断する。性別判断部３６は、視聴者の性別を判断すると、判断した視聴者の性別を表す性別情報を、条件判断部３７に送る。
【００８８】
条件判断部３７は、映像撮影部３９から広告表示装置３へ送信された映像が、表示記憶部３２に記憶される表示判断情報のうちの表示条件情報が示す表示条件と一致するか否かを判断する。条件判断部３７は、年齢判断部３５から年齢情報を、性別判断部３６から性別情報をそれぞれ受け取ると、年齢情報が示す年齢および性別情報が示す性別が、表示条件情報が示す表示条件と一致するか否かを判断する。
【００８９】
コンテンツ選択部３８は、条件判断部３７によって一致する表示条件があると判断された場合、表示記憶部３２に記憶されるコンテンツデータのうち、一致すると判定した表示条件を表わす表示条件情報に関連付けられたコンテンツデータを、表示記憶部３２から読み出す。コンテンツ選択部３８は、読み出したコンテンツデータを、表示駆動部３３へ送る。コンテンツ選択部３８は、条件判断部３７によって一致する表示条件がないと判定された場合、表示記憶部３２に記憶されるコンテンツデータの読み出しを行わない。
【００９０】
表示駆動部３３は、コンテンツ選択部３８から受け取ったコンテンツデータを、表示部３４に送る。表示駆動部３３は、表示部３４を駆動して、コンテンツデータが示すコンテンツを、表示部３４に表示させる。
【００９１】
表示部３４は、たとえば液晶ディスプレイ、プラズマディスプレイ、有機ＥＬ（
Organic Electro Luminescence）ディスプレイ、発光ダイオード、映像プロジェクタ、またはブラウン管などによって実現される。表示部３４は、表示駆動部３３から受け取ったコンテンツデータが示すコンテンツを表示する。
【００９２】
他の実施形態では、広告表示装置３は、図示しないスピーカを含み、コンテンツに含まれる音声を、このスピーカによって再生する構成であってもよい。したがって、広告表示装置３は、コンテンツの映像を表示することに加えて音声をも再生することによって、コンテンツの視聴者への訴求効果をさらに高めることができる。
【００９３】
図８は、広告表示装置３が行うコンテンツの表示を説明するための図である。映像撮影部３９は、広告表示装置３の外表面に固着され、表示部３４の近傍を撮影する。たとえば２０代の男性の視聴者が表示装置の前を通行して、映像撮影部３９のレンズの画角に進入すると、映像撮影部３９は、視聴者を撮影し、撮影した映像を広告表示装置３へ送信する。コンテンツ制御部１７は、映像撮影部３９から受信した映像を解析して、視聴者がたとえば２０代の男性であると判断する。
【００９４】
表示記憶部３２には、表示判断情報として、たとえば図４に示した識別情報、表示条件情報、および落札金額情報が記憶されている。入札者Ａは、入札金額が１０００円、表示条件が１０代および２０代の男性であり、入札者Ｂは、入札金額が１５００円、表示条件が１０代および２０代の男性および女性であり、入札者Ｃは、入札金額が５００円、表示条件が４０代の男性および女性である。
【００９５】
条件判断部３７は、映像中の２０代の男性という視聴者が、表示記憶部３２に記憶される表示条件と一致するか否かを判断する。条件判断部３７は、複数の表示条件、具体的には入札者Ａおよび入札者Ｂの表示条件が一致すると判断する。さらに条件判断部３７は、一致する表示条件が複数あると判断した場合、一致する表示条件の数と、入札金額とに基づいて、各コンテンツを表示部３４に表示させる表示割合を算出する。条件判断部３７は、落札者Ａの表示条件と落札者Ｂの表示条件とが重複しているので、落札者Ａ，Ｂの各入札者について表示割合を算出する。
【００９６】
まず条件判断部３７は、表示条件１つ当たりの落札金額を、「（表示条件１つ当たりの落札金額）＝（落札金額）÷（表示条件の数）」によって算出する。たとえば落札者Ａは、表示条件が１０代男性および２０代男性の２つであり、落札金額が１０００円であるので、「１０００÷２÷１」によって、表示条件１つ当たりの落札金額が「５００（円）」と算出される。同様に、落札者Ｂは、「１０００÷２÷２」によって、表示条件１つ当たりの落札金額が「２５０（円）」と算出される。
【００９７】
条件判断部３７は、算出した表示条件１つ当たりの落札金額に基づいて、落札者Ａ，Ｂの表示割合をそれぞれ算出する。各落札者の表示割合は、「（各落札者の表示割合）＝（各落札者の表示条件１つ当たりの落札金額）÷（全落札者の表示条件１つ当たりの落札金額の合計値）」によって算出される。たとえば落札者ＡのコンテンツＡの表示割合は、「５００÷（５００＋２５０）」によって、「０．６６」と算出される。同様に、落札者ＢのコンテンツＢの表示割合は、「２５０÷（５００＋２５０）」によって、「０．３３」と算出される。算出した各表示割合は、小数第３位以下を切り捨てている。
【００９８】
また条件判断部３７は、視聴者がたとえば２０代の女性であると判断すると、表示記憶部３２に記憶される表示条件と一致するか否かを判断する。条件判断部３７は、一致する表示条件が落札者Ｂの表示条件のみであるので、落札者ＢのコンテンツＢの表示割合を「１」と決定する。
【００９９】
図９は、条件判断部３７が行うコンテンツの表示方法を説明するための図である。表示制御部３１によるコンテンツの表示は、一致すると判定した表示条件に関連付けられたコンテンツの数と入札金額とに基づいて、コンテンツを表示させる時間の長さの割合が算出され、算出された時間の長さの割合に応じて行われる。映像撮影部３９は、時刻ｔ１およびｔ３で撮影を行い、表示部３４は、時刻ｔ１からｔ２の間の時間および時刻ｔ３からｔ４の間の時間に、コンテンツを表示させる。
【０１００】
時刻ｔ１において、条件判断部３７は、映像中の視聴者が２０代の男性であると判断すると、算出した表示割合に基づいて、落札者ＡのコンテンツＡの表示時間ｔｗ１、および落札者ＢのコンテンツＢの表示時間ｔｗ２を算出する。表示時間とは、コンテンツを表示させる時間の長さであり、「（各落札者のコンテンツの表示時間）＝（全表示時間）×（各落札者の表示割合）」によって算出される。全表示時間ｔｗ０とは、コンテンツを表示させる時間の全体の長さを示し、具体的には、時刻ｔ１からｔ２の間の時間の長さおよび時刻ｔ３からｔ４の間の時間の長さのことをいう。
【０１０１】
全表示時間ｔｗ０をたとえば１０秒に設定すると、落札者Ａのコンテンツの表示時間ｔｗ１は、「１０×０．６６」によって、「６．６（秒）」と算出される。同様に、落札者Ｂのコンテンツの表示時間ｔｗ２は、「１０×０．３３」によって、「３．３（秒）」と算出される。
【０１０２】
条件判断部３７は、落札金額が低額の広告よりも落札金額が高額の広告を、時間的に先に表示部３４に表示させる。条件判断部３７は、表示条件１つ当たりの落札金額が、落札者Ｂよりも落札者Ａのほうが高額であるので、落札者ＡのコンテンツＡを先に表示させる。条件判断部３７は、表示記憶部３２に記憶される表示条件と、映像中の視聴者の年齢および性別とが一致する判断すると、落札者ＡのコンテンツＡを６．６秒間表示させ、その後落札者ＢのコンテンツＢを３．３秒間表示させる。
【０１０３】
時刻ｔ３において、条件判断部３７は、映像中の視聴者が２０代の女性であると判断すると、競合するコンテンツがないので、落札者ＢのコンテンツＢの時刻ｔ３からｔ４の間の表示時間を、全表示時間ｔｗ０の１０秒と算出する。
【０１０４】
本実施形態では、全表示時間を１０秒に設定しているけれども、他の実施形態では、映像撮影部３９が行う撮影の間隔を任意の秒数に設定し、その設定した任意の秒数を全表示時間として設定することもできる。これによって、落札者のコンテンツを途切れることなく表示部３４に効率良く表示させて、各コンテンツの広告の訴求効果を高めることができる。
【０１０５】
また本実施形態では、映像撮影部３９が複数の視聴者を同時に撮影した場合、年齢判断部３５および性別判断部３６は、各視聴者の年齢および性別を判断する。条件判断部３７は、映像中の複数の視聴者の年齢および性別に一致する表示条件があるか否かを判定する。さらに条件判断部３７は、前述のように一致する表示条件に関連付けられている全てのコンテンツを、表示部３４に表示させる。
【０１０６】
他の実施形態では、映像撮影部３９によって複数の視聴者が撮影され、年齢判断部３５および性別判断部３６によって各視聴者の年齢および性別が判断された場合、条件判断部３７は、同時に撮影された複数の視聴者を、年齢および性別によってグループに分別し、最も多くの視聴者が属するグループに一致する表示条件のコンテンツのみを、表示部３４に表示させてもよい。これによって、広告表示装置３は、複数の視聴者のうち最も多い年齢層および性別の視聴者に対して、効率的にコンテンツを表示することができる。
【０１０７】
図１０は、入札者が入札者端末２６によって行う処理を示すフローチャートである。入札者が入札者端末２６から広告枠取引装置２に通信を行い、入札者認証部１１によって登録済みの入札者であると認証されると、ステップａ０に進んで処理が開始される。
【０１０８】
ステップａ１では、入札制御部１３は、入札者端末２６が入札を要求しているか否かを判断する。入札者端末２６が入札を要求していると判断された場合、ステップａ２に進み、入札者端末２６が入札を要求していないと判断された場合、ステップａ１での処理が再び行われる。
【０１０９】
ステップａ２では、入札制御部１３は、入札の要求を行った入札者端末２６に、各時間帯の広告枠についての入札者の数、入札金額、および表示条件などの入札状況を送信する。入札者は、入札者端末２６を用いて各時間帯の広告枠に関する入札状況を入手する。
【０１１０】
ステップａ３では、入札者は、入手した入札状況を確認して、入札を行う時間帯の広告枠を選択し、入札者端末２６に入力する。ステップａ４では、入札者は、希望する表示条件を選択し、ステップａ５では、入札者は、選択した時間帯の広告枠に入札する入札金額を入札者端末２６に入力する。
【０１１１】
ステップａ６では、入札者端末２６は、広告枠の時間帯、表示条件、および入札金額が、入札者によって正しく入力されているか否かを確認する。入札者端末２６によって、時間帯、表示条件、および入札金額が全て正しく入力されていると判定されると、ステップａ６に進み、時間帯、表示条件、および入札金額のうち少なくとも１つが正しく入力されていないと判定されると、ステップａ３に進む。
【０１１２】
ステップａ７では、入札者端末２６は、入札者のＩＤ、広告枠の時間帯、表示条件、および入札金額を、入札制御部１３に送信する。ステップａ８では、入札制御部１３は、入札者端末２６から入札者のＩＤ、広告枠の時間帯、表示条件、および入札金額を受信し、更新した入札状況を入札者端末２６に送信する。入札者端末２６は、入札制御部１３から送信された入札状況を受信する。
【０１１３】
ステップａ９では、入札者端末２６は、受信した入札状況を表示する。入札状況には、更新された入札者の数、入札金額、および表示条件などが含まれる。入札者は、入札者端末２６に表示される入札状況を確認する。
【０１１４】
ステップａ１０では、入札者端末２６は、サーバ、すなわち入札制御部１３からの連絡を受信したか否かを判断する。入札者端末２６によって、入札制御部１３からの連絡を受信したと判断された場合、ステップａ１１に進み、入札制御部１３からの連絡を受信していない判断された場合、ステップａ１０での処理が再び行われる。
【０１１５】
ステップａ１１では、入札者端末２６は、入札制御部１３から連絡を受信すると、受信した連絡が入札確定連絡、すなわちオークション期間が終了して入札が確定したことを知らせる連絡であるか否かを判定する。また入札者端末２６は、入札確定連絡ではない連絡を、入札状況に変化があり更新された入札状況を知らせる連絡であると判定する。入札者端末２６によって、入札確定連絡であると判定された場合、ステップａ１２に進み、入札確定連絡でないと判定された場合、ステップａ１３に進む。
【０１１６】
ステップａ１２では、入札者端末２６は、入札確定連絡が示す確定状況、すなわち落札が確定した時点での各落札者の表示条件および各落札者の落札金額などを表示し、ステップａ２０に進んで処理が終了する。ステップａ１３では、入札者端末２６は、更新された入札状況を表示させる。入札者は、更新された入札状況を確認することができる。
【０１１７】
ステップａ１４では、入札者は、入札者端末２６に表示される更新された入札状況を確認して、入札を降りる、すなわち入札を取消すか否かを判断する。入札者は、更新された入札状況に不服があるとき、たとえば同じ表示条件を希望する他の入札者が現れたときなどに、入札を取消すことができる。入札者が、入札を降りると判断した場合、ステップａ１５に進み、入札を降りないと判断した場合、ステップａ１６に進む。ステップａ１５では、入札者端末２６は、入札制御部１３に入札を降りることを送信し、ステップａ２０に進んで処理が終了する。
【０１１８】
ステップａ１６では、入札者は、入札金額および表示条件の少なくともいずれか１つを変更するか否かを判断する。入札者は、更新された入札状況に不服があるとき、たとえば同じ表示条件を希望する他の入札者が現れたときなどに、他の入札者よりも高額の入札金額を提示する、または表示条件を変更することができる。また入札者は、更新された入札状況に不服がないとき、入札金額および表示条件を変更せずに更新された入札状況を許容することもできる。入札者によって、入札金額および表示条件の少なくともいずれか１つを変更すると判断された場合、ステップａ１７に進み、入札金額および表示条件を変更しないと判断された場合、ステップａ１９に進む。
【０１１９】
ステップａ１７では、入札者は、新たな入札金額および表示条件の少なくともいずれか１つを入札者端末２６に入力する。ステップａ１８では、入札者端末２６は、入札者によって入力された新たな入札金額および表示条件の少なくともいずれか１つを、入札制御部１３に送信して、ステップａ８に進む。ステップａ１９では、入札者端末２６は、入札金額および表示条件を変更しないことをサーバ、すなわち入札制御部１３に送信して、ステップａ８に進む。
【０１２０】
図１１は、広告枠取引装置２が入札者端末２６との間で行う処理を示すフローチャートである。図１１，１２で示す処理は、広告枠取引装置によって行われる広告枠取引段階である。広告枠の競売期間が始まる前に広告記憶工程が行われ、コンテンツ記憶部１８によって、入札者のコンテンツが記憶される。広告枠取引装置２が入札を受付ける準備が完了して、広告枠のオークション期間が始まると、ステップｂ０に進んで処理が開始される。
【０１２１】
ステップｂ１では、入札制御部１３は、入札者端末２６から入札の要求が受信されたか否かを判定する。入札制御部１３によって、入札者端末２６からの入札要求が受信されたと判定された場合、ステップｂ２に進み、入札者端末２６からの入札要求が受信されていないと判定された場合、ステップｂ１での処理が再び行われる。ステップｂ２では、入札制御部１３は、入札を行った入札者端末２６に、各時間帯の広告枠についての入札者の数、入札金額、および表示条件などの入札状況を送信する。
【０１２２】
ステップｂ３では、入札制御部１３は、入札者端末２６から送信された広告枠の時間帯が有効であるか否かを判定する。たとえば入札制御部１３は、入札者端末２６から送信された広告枠の時間帯が、すでに落札されているときに、有効でない時間帯が選択されたと判定する。入札制御部１３によって、有効な時間帯でないと判定された場合、ステップｂ４に進み、有効な時間帯であると判定された場合、ステップｂ５に進む。
【０１２３】
ステップｂ４では、入札制御部１３は、エラーであること、すなわち入札者端末２６から送信された広告枠の時間帯についての情報が有効でないことを、入札者端末２６に送信して、ステップｂ１に進む。ステップｂ５では、入札制御部１３は、入札者によって選択された時間帯についての入札状況を、入札状況記憶部１４から読み出す。ステップｂ６では、入札制御部１３は、更新された入札状況を入札者端末２６に送信する。
【０１２４】
ステップｂ７では、入札制御部１３は、更新した入札状況を、入札状況記憶部１４に記憶させる。この記憶は、入札者の識別情報、入札金額、および表示条件を、互いに関連付けられた状態で行われる。
【０１２５】
ステップｂ８では、入札制御部１３は、入札者端末２６から入札を降りる旨の連絡を受信したか否かを判定する。入札制御部１３によって、入札を降りる旨の連絡を受信したと判定された場合、ステップｂ９に進み、入札を降りる旨の連絡を受信していないと判定された場合、ステップｂ１０に進む。
【０１２６】
ステップｂ９では、入札制御部１３は、入札を降りる旨を連絡してきた入札者の入札情報、すなわち識別情報、入札金額情報、および表示条件情報を、入札状況記憶部１４から削除して、ステップｂ６に進む。
【０１２７】
ステップｂ１０では、入札制御部１３は、入札者端末２６が入札金額および表示条件の少なくともいずれか１つを変更したか否かを判定する。入札制御部１３によって、入札者端末２６が入札金額および表示条件の少なくともいずれか１つを変更したと判定された場合、ステップｂ５に進み、入札者端末２６が入札金額および表示条件を変更していないと判定された場合、ステップｂ１１に進む。
【０１２８】
入札制御工程であるステップｂ１１では、入札制御部１３は、オークションが行われている広告枠について、入札終了時刻、すなわちオークションの期間が終了する日時になったか否かを判定する。入札制御部１３によって、入札終了時刻であると判定された場合、ステップｂ１２に進み、入札終了時刻でないと判定された場合、ステップｂ１に進む。
【０１２９】
ステップｂ１２では、入札状況記憶部１４は、オークション期間の終了時における広告枠を落札した落札者のＩＤを表す識別情報、落札金額を表す落札金額情報、および表示条件を表す表示条件情報を、互いに関連付けられた状態で記憶する。ステップｂ７，ｂ１２は、入札状況記憶工程である。
【０１３０】
ステップｂ１３では、入札制御部１３は、確定状況を落札者に送信する。確定状況とは、オークション終了時点で入札状況記憶部１４に記憶されている入札状況である。ステップｂ１４では、入札制御部１３は、入札状況記憶部１４に記憶されている確定状況、すなわち落札者の識別情報、落札金額情報、および表示条件情報を、互いに関連付けられた状態で広告枠記憶部１６に記憶させて、ステップｂ１５に進んで処理が終了する。
【０１３１】
図１２は、コンテンツ制御部１７が行う処理を示すフローチャートである。予め定める時間帯の広告枠のオークション期間が終了すると、ステップｃ０に進んで処理が開始される。ステップｃ１では、コンテンツ制御部１７は、現在の時刻が、新しい広告枠の時間帯が開始される時刻に対して、予め定める時間たとえば１時間よりも前の時刻であるか否かを判定する。コンテンツ制御部１７によって、予め定める時間よりも前の時刻であると判定された場合、ステップｃ２に進み、予め定める時間よりも前の時刻でないと判定された場合、ステップｃ３に進む。
【０１３２】
広告制御工程であるステップｃ２では、コンテンツ制御部１７は、新しい時間帯の広告枠の落札情報およびコンテンツデータを、広告枠記憶部１６から読み出して、読み出した落札情報およびコンテンツデータを互いに関連付けられた状態で表示装置に送信し、ステップｃ１に進む。落札情報は、落札者の識別情報、入札金額情報、および表示条件情報を含む。
【０１３３】
ステップｃ３では、コンテンツ制御部１７は、新しいコンテンツが登録されるか否かを判定する。コンテンツ制御部１７によって、新しいコンテンツが登録されると判定された場合、ステップｃ４に進み、新しいコンテンツが登録されないと判定された場合、ステップｃ５に進む。
【０１３４】
ステップｃ４では、コンテンツ制御部１７は、コンテンツ登録部１９から入力された新しいコンテンツデータと入札者の識別情報とを、互いに関連付けられた状態でコンテンツ記憶部１８に記憶させ、ステップｃ１に進む。
【０１３５】
ステップｃ５では、コンテンツ制御部１７は、新たな広告枠が確定、すなわち新たな広告枠の落札が入札制御部１３によって行われたか否かを判定する。コンテンツ制御部１７によって、新たな広告枠が確定したと判定した場合、ステップｃ６に進み、新たな広告枠が確定していないと判定した場合、ステップｃ１に進む。ステップｃ６では、コンテンツ制御部１７は、料金徴収部２０に落札者に対して料金の徴収を行うように指示し、ステップｃ１に進む。
【０１３６】
図１３は、表示装置が行う処理を示すフローチャートである。図１３で示す処理は、広告表示装置によって行われる広告表示段階である。広告表示段階では、ステップｄ０の前に表示記憶工程が行われ、表示記憶部３２によって、落札者の識別情報、落札金額情報、表示条件情報、およびコンテンツデータが互いに関連付けられた状態で記憶される。表示装置がコンテンツを表示部３４に表示させるときにステップｄ０に進み、処理が開始される。
【０１３７】
ステップｄ１では、条件判断部３７は、表示記憶部３２から落札者の表示条件を読み出す。ステップｄ２では、年齢判断部３５および性別判断部３６は、映像撮影部３９から画像を取得する。ステップｄ３では、年齢判断部３５は、取得した画像中の視聴者の年齢を判断し、視聴者の年齢を表す年齢情報を条件判断部３７に送る。ステップｄ４では、性別判断部３６は、取得した画像中の視聴者の性別を判断し、視聴者の性別を表す性別情報を条件判断部３７に送る。
【０１３８】
ステップｄ５では、条件判断部３７は、年齢判断部３５から受取った年齢情報と、性別判断部３６から受け取った性別情報とに基づいて、視聴者の年齢および性別が、落札者の表示条件に一致するか否かを判定する。条件判断部３７によって、一致すると判定された場合、ステップｄ６に進み、一致しないと判定された場合、ステップｄ１０に進む。
【０１３９】
ステップｄ６では、条件判断部３７は、判断された視聴者の年齢および性別が、落札者の複数の表示条件に一致するか否かを判定する。条件判断部３７によって、複数の表示条件に一致すると判定された場合、ステップｄ７に進み、１つの表示条件にのみ一致すると判定された場合、ステップｄ１２に進む。
【０１４０】
ステップｄ７では、条件判断部３７は、後述するステップｄ８で同一の表示条件について計算済みであるか否か、すなわちステップｄ６において一致すると判定された複数の表示条件が、過去に一致すると判定された複数の表示条件と同一であるか否かを判定する。条件判断部３７によって、同一の表示条件について計算済みであると判定した場合、ステップｄ９に進み、同一の表示条件について計算済みでないと判定した場合、ステップｄ８に進む。
【０１４１】
ステップｄ８では、条件判断部３７は、表示方法を算出して決定する。本実施形態では、条件判断部３７は、各コンテンツの表示割合に基づいて、各コンテンツの表示時間を算出する。条件判断部３７は、各コンテンツの表示時間を、「（各落札者のコンテンツの表示時間）＝（全表示時間）×（各落札者の表示割合）」に従って算出する。ステップｄ８での処理は、図１４を用いて後に詳述する。ステップｄ９では、条件判断部３７は、ステップｄ８において決定された算出方法に従って、表示方法を設定し、ステップｄ１３に進む。
【０１４２】
ステップｄ１０では、条件判断部３７は、表示条件なしの設定がされているコンテンツがあるか否かを判定する。条件判断部３７によって、表示条件なしの設定がされていると判定された場合、ステップｄ１２に進み、表示条件なしの設定がされていないと判定された場合、ステップｄ１１に進む。
【０１４３】
ステップｄ１１では、条件判断部３７は、デモのコンテンツを表示部３４に表示させると設定し、ステップｄ１２に進む。デモのコンテンツとは、たとえば広告募集などの宣伝、またはスクリーンセーバーなどの映像である。
【０１４４】
ステップｄ１２では、条件判断部３７は、コンテンツまたはデモについて、表示部３４に表示させるときの表示面積割合、および表示する時間の長さを設定する。表示面積割合とは、コンテンツなどを表示部３４に表示させるときの表示領域の面積の割合をいう。たとえば条件判断部３７は、表示部３４の領域の面積割合を、１００％に設定し、表示する長さを、１０秒に設定する。
【０１４５】
ステップｄ１３では、条件判断部３７は、表示部３４に表示させるコンテンツを読み出すようにコンテンツ選択部３８に指示する。コンテンツ選択部３８は、表示記憶部３２から読み出したコンテンツデータを表示駆動部３３に送る。ステップｄ１４では、表示駆動部３３は、表示部３４を駆動して、コンテンツを表示部３４に表示させる。
【０１４６】
ステップｄ１５では、条件判断部３７は、新しい時間帯の広告枠についての情報を、広告枠取引装置２から受信したか否かを判定する。条件判断部３７によって、新しい時間帯の広告枠についての情報を受信したと判定した場合、ステップｄ１６に進み、新しい時間帯の広告枠についての情報を受信していないと判定した場合、ステップｄ２に進む。
【０１４７】
ステップｄ１６では、条件判断部３７は、新しい時間帯の広告枠についての落札者の識別情報、落札金額情報、表示条件情報およびコンテンツデータを、互いに関連付けられた状態で表示記憶部３２に記憶させて、ステップｄ１に進む。
【０１４８】
図１４は、図１３のステップｄ８での処理を詳細に説明するためのフローチャートである。条件判断部３７が表示割合の算出を行うときステップｅ０に進み、処理が開始される。ステップｅ１では、条件判断部３７は、変数「ｎ」に「１」を代入する。変数「ｎ」は、競合する落札者の数を数えるための変数である。
【０１４９】
ステップｅ２では、条件判断部３７は、変数「ｒ」に競合する落札者の数を代入する。変数「ｒ」は、競合する落札者の数を表す変数である。ステップｅ３では、条件判断部３７は、変数「ｋ（０）」に「０」を代入する。変数「ｋ（ｎ）」は、表示条件１つ当たりの落札金額を表す。ステップｅ４では、条件判断部３７は、落札者ｎの落札金額を、表示記憶部３２から取得する。
【０１５０】
ステップｅ５では、条件判断部３７は、落札者ｎの年齢に対する設定数、すなわち表示条件のうち年齢に関する情報を、表示記憶部３２から取得する。ステップｅ６では、条件判断部３７は、落札者ｎの性別に対する設定数、すなわち表示条件のうち性別に関する情報を、表示記憶部３２から取得する。
【０１５１】
ステップｅ７では、条件判断部３７は、「変数ｋ（ｎ）＝（落札金額）÷（年齢に関する条件の数）÷（性別に関する条件の数）」によって、表示条件１つ当たりの落札金額を算出する。ステップｅ８では、条件判断部３７は、「変数ｋ（０）＝変数ｋ（０）＋変数ｋ（ｎ）」とする。
【０１５２】
ステップｅ９では、条件判断部３７は、変数「ｎ」と変数「ｒ」とが同じであるか否かを判定する。条件判定部によって、変数「ｎ」と変数「ｒ」とが同じであると判定された場合、ステップｅ１１に進み、変数「ｎ」と変数「ｒ」とが異なると判定された場合、ステップｅ１０に進む。
【０１５３】
ステップｅ１０では、条件判断部３７は、変数「ｎ」に「１」を加算して、ステップｅ４に進む。ステップｅ１１では、条件判断部３７は、変数「ｎ」に「１」を代入する。ステップｅ１２では、条件判断部３７は、「変数ｐ（ｎ）＝変数ｋ（ｎ）÷変数ｋ（０）」とする。変数「ｐ（ｎ）」は、各コンテンツの表示割合を表す。
【０１５４】
ステップｅ１３では、条件判断部３７は、変数「ｎ」と変数「ｒ」とが同じであるか否かを判定する。条件判定部によって、変数「ｎ」と変数「ｒ」とが同じであると判定された場合、ステップｅ１５に進み、変数「ｎ」と変数「ｒ」とが異なると判定された場合、ステップｅ１４に進む。
【０１５５】
ステップｅ１４では、条件判断部３７は、変数「ｎ」に「１」を加算して、ステップｅ１２に進む。ステップｅ１５では、条件判断部３７は、コンテンツを表示割合の大きなものから順に並べる。ステップｅ１６では、条件判断部３７は、表示内容を算出し、ステップｅ１７に進んで処理が終了する。ステップｅ１６での処理は、図１５，図１７，図１９を用いて後に詳述する。
【０１５６】
図１５は、図１４のステップｅ１６での処理を詳細に説明するためのフローチャートである。条件判断部３７が表示内容の算出を行うときにステップｆ０に進み、処理が開始される。ステップｆ１では、条件判断部３７は、変数「ｎ」に「１」を代入する。ステップｆ２では、条件判断部３７は、「変数ｔ（ｎ）＝１０（秒）×変数ｐ（ｎ）」によって、各コンテンツの表示時間を算出する。「変数ｔ（ｎ）」は、各コンテンツの表示時間を表す。
【０１５７】
ステップｆ３では、条件判断部３７は、変数「ｎ」と変数「ｒ」とが同じであるか否かを判定する。条件判定部によって、変数「ｎ」と変数「ｒ」とが同じであると判定された場合、ステップｆ５に進み、変数「ｎ」と変数「ｒ」とが異なると判定された場合、ステップｆ４に進む。ステップｆ４では、条件判断部３７は、変数「ｎ」に「１」を加算して、ステップｆ２に進む。ステップｆ５では、表示判断部は、表示面積割合を１００（％）に設定して、ステップｆ６に進んで処理が終了する。
【０１５８】
他の実施形態では、広告表示装置３は、映像撮影部３９によって撮影された映像中の視聴者に関する年齢情報および性別情報を、広告枠取引装置２に送信してもよい。広告枠取引装置２は、受信した年齢情報および性別情報を、たとえば広告枠記憶部１６、コンテンツ記憶部１８などの記憶部に蓄積して、データベースを構築することができる。これによって、広告枠取引装置２は、広告枠のオークションにおいて、表示装置の視聴者に関する情報を入札者に提供することができる。したがって、広告枠取引装置２は、入札者に対して、広告枠の広告効果の有効性を知らせることができる。
【０１５９】
（第２実施形態）
図１６は、本発明の第２実施形態に係る条件判断部３７が行うコンテンツの表示方法を説明するための図である。本実施形態の広告表示システム１は、第１実施形態の広告表示システム１と同様に広告枠取引装置２と広告表示装置３とによって構成され、条件判断部３７が行うコンテンツの表示処理のみが異なる。
【０１６０】
表示制御部３１によるコンテンツの表示部３４への表示は、一致すると判定した表示条件に関連付けられたコンテンツの数と入札金額とに基づいて、コンテンツを表示させる表示部３４の領域の面積割合が算出され、算出された面積割合に応じて行われる。表示制御部３１は、入札金額が低額のコンテンツよりも入札金額が高額のコンテンツの面積の割合を大きくして、表示部３４の領域に表示させる。
【０１６１】
映像撮影部３９は、時刻ｔ１およびｔ３で撮影を行い、表示部３４は、時刻ｔ１からｔ２の間の時間および時刻ｔ３からｔ４の間の時間に、コンテンツを表示させる。表示記憶部３２には、表示判断情報として、たとえば図４に示した識別情報、表示条件情報、および落札金額情報が記憶されている。入札者Ａは、入札金額が１０００円、表示条件が１０代および２０代の男性であり、入札者Ｂは、入札金額が１５００円、表示条件が１０代および２０代の男性および女性であり、入札者Ｃは、入札金額が５００円、表示条件が４０代の男性および女性である。
【０１６２】
時刻ｔ１において、条件判断部３７は、映像中の視聴者が２０代の男性であると判断すると、図８で説明した表示割合に基づいて、落札者ＡのコンテンツＡの表示面積割合、および落札者ＢのコンテンツＢの表示面積割合を算出する。表示時面積割合は、「（各落札者のコンテンツの表示面積割合）＝１００（％）×（各落札者の表示割合）」によって算出される。
【０１６３】
落札者ＡのコンテンツＡの表示面積割合は、「１００×０．６６」によって、「６６（％）」と算出される。同様に落札者ＢのコンテンツＢの表示面積割合は、「１００×０．３３」によって、「３３（％）」と算出される。
【０１６４】
条件判断部３７は、入札金額が低額のコンテンツよりも入札金額が高額のコンテンツを、表示部３４の領域の上側でかつ左側に優先的に表示させる。条件判断部３７は、コンテンツＡを、参照符４６ａで示す表示部３４の領域に表示させ、コンテンツＢを、参照符４６ｂで示す表示部３４の領域に表示すると決定する。条件判断部３７は、コンテンツＡ，Ｂを、時刻ｔ１から時刻ｔ２までの予め定める時間、たとえば１０秒間、表示部３４に表示させる。
【０１６５】
時刻ｔ３において、条件判断部３７は、映像中の視聴者が２０代の女性であると判断すると、競合するコンテンツがないので、落札者ＢのコンテンツＢを、表示部３４の領域の全域に、たとえば１０秒間表示させる。
【０１６６】
本実施形態では、条件判断部３７は、入札金額が高額のコンテンツを、表示部３４の領域の上側でかつ左側に優先的に表示させるけれども、他の実施形態においては、条件判断部３７は、落札者の希望に応じて、コンテンツを表示部３４の領域の左側または右側に表示させてもよい。コンテンツを表示領域の上側に表示することによって、遠方の視聴者からの視認性が向上し、コンテンツの訴求効果を高めることができる。
【０１６７】
図１７は、条件判断部３７が行う図１４のステップｅ１６での処理を詳細に説明するためのフローチャートである。本実施形態の広告表示装置３は、図１３，図１４に示した処理と同様の処理を行なう。条件判断部３７が表示内容の算出を行うときにステップｇ０に進み、処理が開始される。
【０１６８】
ステップｇ１では、条件判断部３７は、変数「ｎ」に「１」を代入する。ステップｇ２では、条件判断部３７は、「変数ｍ（ｎ）＝１００（％）×変数ｐ（ｎ）」によって、各コンテンツの表示面積割合を算出する。「変数ｍ（ｎ）」は、各コンテンツの表示面積割合を表す。
【０１６９】
ステップｇ３では、条件判断部３７は、変数「ｎ」と変数「ｒ」とが同じであるか否かを判定する。条件判定部によって、変数「ｎ」と変数「ｒ」とが同じであると判定された場合、ステップｇ５に進み、変数「ｎ」と変数「ｒ」とが異なると判定された場合、ステップｇ４に進む。ステップｇ４では、条件判断部３７は、変数「ｎ」に「１」を加算して、ステップｇ２に進む。ステップｇ５では、表示判断部は、表示時間を予め定める時間、たとえば１０（秒）に設定して、ステップｇ６に進んで処理が終了する。
【０１７０】
（第３実施形態）
図１８は、本発明の第３実施形態に係る条件判断部３７が行うコンテンツの表示方法を説明するための図である。本実施形態の広告表示システム１は、第１，第２実施形態の広告表示システム１と同様に広告枠取引装置２と広告表示装置３とによって構成され、条件判断部３７が行うコンテンツの表示処理のみが異なる。
【０１７１】
表示制御部３１によるコンテンツの表示部３４への表示は、一致すると判定した表示条件に関連付けられたコンテンツの数と入札金額とに基づいて、コンテンツを表示部３４に表示させる表示回数の割合が算出され、算出された表示回数の割合に応じて行われる。
【０１７２】
図１８において、時刻ｔ１１〜ｔ１６は、映像撮影部３９によって２０代の男性が撮影された時刻を示す。表示記憶部３２には、表示判断情報として、たとえば図４に示した識別情報、表示条件情報、および落札金額情報が記憶されている。入札者Ａは、入札金額が１０００円、表示条件が１０代および２０代の男性であり、入札者Ｂは、入札金額が１５００円、表示条件が１０代および２０代の男性および女性であり、入札者Ｃは、入札金額が５００円、表示条件が４０代の男性および女性である。
【０１７３】
時刻ｔ１１において、条件判断部３７は、映像中の視聴者が２０代の男性であると判断すると、図８で説明した表示割合に基づいて、落札者ＡのコンテンツＡの表示回数、および落札者ＢのコンテンツＢの表示回数を算出する。各コンテンツの表示回数は、「（各コンテンツの表示回数）＝（表示条件１つ当たりの落札金額」÷（最大公約数）」によって算出する。この最大公約数は、各コンテンツの表示条件１つ当たりの落札金額の最大公約数である。
【０１７４】
条件判断部３７は、コンテンツＡ，Ｂの表示条件１つ当たりの落札金額の最大公約数を算出する。表示条件１つ当たりの落札金額は、コンテンツＡが５００円、コンテンツＢが２５０円であるので、最大公約数は、２５０である。コンテンツＡの表示回数は、「５００÷２５０」によって、「２」と算出される。同様に、コンテンツＢの表示回数は、「２５０÷２５０」によって、「１」と算出される。コンテンツＡおよびコンテンツＢの表示回数の割合は、「２：１」である。したがって、コンテンツＡとコンテンツＢとは、「２：１」の頻度で表示部３４に表示される。
【０１７５】
条件判断部３７は、落札金額が低額の広告よりも落札金額が高額の広告を、時間的に先に表示部３４に表示させる。条件判断部３７は、表示条件１つ当たりの落札金額が、落札者Ｂよりも落札者Ａのほうが高額であるので、落札者ＡのコンテンツＡを先に表示させる。したがって、条件判断部３７は、コンテンツＡを優先して先に２回表示させて、その後にコンテンツＢを１回表示させる。
【０１７６】
条件判断部３７は、表示記憶部３２に記憶される表示条件と、映像中の視聴者の年齢および性別とが一致すると判断すると、１つのコンテンツを予め定める時間表示させる。条件判断部３７は、時刻ｔ１１から予め定める時間、たとえば１０秒間、表示部３４の領域の全域にコンテンツＡを表示させ、同様に時刻ｔ１２からコンテンツＡを表示させ、時刻ｔ１３からコンテンツＢを表示させる。さらに条件判断部３７は、同様に時刻ｔ１４から再びコンテンツＡを表示させ、時刻ｔ１５からコンテンツＡを表示させ、時刻ｔ１６からコンテンツＢを表示させる。条件判断部３７は、広告枠の時間帯において、コンテンツＡとコンテンツＢとを、２：１の頻度で表示させ続ける。
【０１７７】
条件判断部３７は、映像中の視聴者がたとえば２０代の女性であると判断すると、競合するコンテンツがないので、落札者ＢのコンテンツＢをたとえば１０秒間、表示部３４の領域の全域に表示させる。
【０１７８】
図１９は、第３実施形態に係る条件判断部３７が行う図１４のステップｅ１６での処理を詳細に説明するためのフローチャートである。本実施形態の広告表示装置３は、図１３，図１４に示した処理と同様の処理を行なう。条件判断部３７が表示内容の算出を行うときにステップｈ０に進み、処理が開始される。
【０１７９】
ステップｈ１では、条件判断部３７は、変数ｋ（１）から変数ｋ（ｒ）の最大公約数を算出し、算出した最大公約数を変数「ｆ」に代入する。変数「ｆ」は、各コンテンツの表示条件１つ当たりの落札金額の最大公約数を表す。ステップｈ２では、条件判断部３７は、変数「ｎ」に「１」を代入する。
【０１８０】
ステップｈ３では、条件判断部３７は、「変数ａ（ｎ）＝変数ｋ（ｎ）÷変数ｆ」と算出する。「変数ａ（ｎ）」は、各コンテンツの表示回数を表す。ステップｈ４では、条件判断部３７は、変数「ｎ」と変数「ｒ」とが同じであるか否かを判定する。条件判定部によって、変数「ｎ」と変数「ｒ」とが同じであると判定された場合、ステップｈ５に進んで処理が終了し、変数「ｎ」と変数「ｒ」とが異なると判定された場合、ステップｈ６に進む。ステップｈ６では、条件判断部３７は、変数「ｎ」に「１」を加算して、ステップｈ３に進む。
【０１８１】
図２０は、条件判断部３７が行う図１３のステップｄ１４での処理を詳細に説明するためのフローチャートである。条件判断部３７がコンテンツを表示部３４に表示させるときにステップｉ０に進み、処理が開始される。
【０１８２】
ステップｉ１では、条件判断部３７は、コンテンツを表示した回数が規定の表示済み回数に達したか否かを判定する。「規定の表示済み回数」とは、算出されたコンテンツの表示回数のことをいう。条件判断部３７によって、規定の表示済み回数に達したと判定された場合、ステップｉ２に進み、規定の表示済み回数に達していないと判定された場合、ステップｉ４に進む。
【０１８３】
ステップｉ２では、条件判断部３７は、次のコンテンツを表示させると設定する。「次のコンテンツ」とは、たとえば競合するコンテンツがない場合、規定の表示済み回数に達したコンテンツと同じコンテンツであり、競合するコンテンツがある場合、競合する他のコンテンツである。
【０１８４】
ステップｉ３では、条件判断部３７は、次のコンテンツの表示済み回数を「１」に設定して、ステップｉ５に進む。ステップｉ４では、条件判断部３７は、再び同じコンテンツを表示させると設定し、コンテンツの表示済み回数に「１」を加算して、ステップｉ５に進む。ステップｉ５では、条件判断部３７は、コンテンツの表示方法を設定、すなわちステップｉ２，ｉ４で設定したコンテンツを次に表示させると設定して、ステップｉ６に進んで処理が終了する。
【０１８５】
広告枠取引装置２の記憶装置、および広告表示装置３の記憶装置のうち少なくともいずれか１つに記憶される制御プログラムは、コンピュータを、入札者認証部１１、通信部１２、入札制御部１３、入札状況記憶部１４、入札者情報記憶部１５、広告枠記憶部１６、コンテンツ制御部１７、コンテンツ記憶部１８、コンテンツ登録部１９、料金徴収部２０、コンテンツ送信部２１、表示制御部３１、表示記憶部３２、および表示駆動部３３の各手段として機能させるための広告表示プログラムとして提供することができる。
【０１８６】
広告表示システム１では、広告表示プログラムがたとえば半導体メモリまたはハードディスク装置などの記憶装置に記憶されているが、これらの記憶装置に限定されるものではなく、コンピュータで読み取り可能な記録媒体に記録されていてもよい。記録媒体は、たとえば図示しない外部記憶装置としてプログラム読取装置を設け、そこに記録媒体を挿入することによって読み取り可能な記録媒体であってもよいし、または他の装置の記憶装置であってもよい。
【０１８７】
いずれの記録媒体であっても、記憶されている広告表示プログラムがコンピュータからアクセスされて実行される構成であればよい。またはいずれの記録媒体であっても、広告表示プログラムが読み出され、読み出された広告表示プログラムが、記憶装置のプログラム記憶エリアに記憶されて、広告表示プログラムが実行される構成であればよい。
【０１８８】
本体と分離可能に構成される記録媒体は、たとえば磁気テープ／カセットテープなどのテープ系の記録媒体、フレキシブルディスク／ハードディスクなどの磁気ディスク、ＣＤ−ＲＯＭ（Compact Disk Read Only Memory）／ＭＯ（Magneto Optical disk）／ＭＤ（
Mini Disc）／ＤＶＤ（Digital Versatile Disk）／ブルーレイディスクなどの光ディスクのディスク系の記録媒体、メモリカードを含むＩＣ（Integrated Circuit）カード／光カードなどのカード系の記録媒体、またはマスクＲＯＭ／ＥＰＲＯＭ（Erasable 
Programmable Read Only Memory）／ＥＥＰＲＯＭ（Electrically Erasable 
Programmable Read Only Memory）／フラッシュＲＯＭなどの半導体メモリを含む固定的にプログラムを担持する記録媒体であってもよい。したがって、広告表示システム１の各手段として機能させるための広告表示プログラムを記録したコンピュータ読み取り可能な記録媒体として提供することができる。
【０１８９】
広告表示プログラムが、コンピュータ読み取り可能な記録媒体に記録されていなくても、通信ネットワークを介して他の装置から広告表示プログラムのダウンロードを行い、広告表示システム１のプログラム記憶エリアに記憶させることもできる。したがって、通信網などの情報を伝送する機能を有する媒体によって、広告表示プログラムを伝送することができるので、広告表示システム１の各手段として機能させるための広告表示プログラムを伝送する情報伝送媒体として提供することもできる。
【０１９０】
このように、広告表示システム１は、広告表示装置３と、広告枠取引装置２とを含んで構成される。広告表示装置３は、広告を表示可能である。広告枠取引装置２は、予め定める時間帯に広告表示装置３にコンテンツを表示させることができる広告枠が設定され、広告枠の競売による取引を管理する。
【０１９１】
広告枠取引装置２は、コンテンツ記憶部１８と、入札制御部１３と、入札状況記憶部１４と、コンテンツ制御部１７とを含んで構成される。コンテンツ記憶部１８によって、広告枠の競売に情報通信網２８を介する通信によって参加する入札者を識別するための識別情報と、広告枠に表示されるべきコンテンツを表すコンテンツデータとが、互いに関連付けられた状態で記憶される。入札制御部１３によって、入札者から情報通信網２８を介する通信によって入力される入札者の識別情報、入札者によって提示された入札金額を表す入札金額情報、およびコンテンツを表示させる対象者に関する表示条件を表す表示条件情報に基づいて、広告枠の落札者が決定される。入札状況記憶部１４によって、入札制御部１３に入力された識別情報、入札金額情報、および表示条件情報が、互いに関連付けられた状態で記憶される。コンテンツ制御部１７によって、競売期間の終了後に、入札状況記憶部１４に記憶される広告枠を落札した入札者の入札金額情報および表示条件情報と、コンテンツ記憶部１８に記憶される広告枠を落札した入札者のコンテンツデータとが、互いに関連付けられた状態で広告表示装置３へ送信される。
【０１９２】
広告表示装置３は、表示記憶部３２と、表示制御部３１とを含んで構成される。表示記憶部３２によって、広告枠取引装置２のコンテンツ制御部１７から送信された入札金額情報、表示条件情報、およびコンテンツデータが、互いに関連付けられた状態で記憶される。広告表示装置３の近傍を撮影する映像撮影部３９から映像が入力され、入力された映像が、表示制御部３１によって、表示記憶部３２に記憶される表示条件情報が示す表示条件に一致するものであるか否かが判定され、一致するものであると判定された場合、その表示条件を表わす表示条件情報に関連付けられた広告情報が示す広告が、その広告情報の数と入札金額情報とに基づいて表示され、一致しないものであると判定された場合、表示記憶部３２に記憶される広告情報が示す広告が表示されない。
【０１９３】
広告表示装置３の表示制御部３１は、表示させるコンテンツの数と入札金額とに応じてコンテンツを表示させるので、広告枠取引装置２は、入札金額によって重み付けされた広告枠を販売することができる。これによって、広告枠取引装置２は、同じ時間帯の広告枠に複数の入札があったときでも広告枠を複数の入札者に効率良く販売することができる。
【０１９４】
また表示制御部３１は、入札者が希望する表示条件に一致する場合のみに、コンテンツを表示させる。これによって、広告表示装置３は、特定の視聴者に対してコンテンツを効率良く表示させることができる。
【０１９５】
広告表示システム１は、広告枠の販売からコンテンツの表示までを効率良く行うことができ、広告枠の販売に要する手間を可及的に少なくして、広告枠の販売およびコンテンツの表示の効率化を図ることができる。
【０１９６】
さらに、広告枠取引装置２は、入札者の識別情報と、入札者の連絡先を表す連絡先情報とを、互いに関連付けられた状態で記憶する入札者情報記憶部１５をさらに含む。広告枠取引装置２の入札制御部１３によって、入札者情報記憶部１５に記憶される入札者の連絡先情報が示す連絡先へ、入札状況記憶部１４に記憶される入札金額情報および表示条件情報が送信される。
【０１９７】
これによって、入札者は、入札している広告枠について他の入札者の入札状況、たとえば入札金額および表示条件などを確認することができる。したがって、入札者は、たとえば同じ表示条件の競合する入札者が存在する場合、現在の入札金額よりも高額の入札金額を再度提示する、または入札を取消すなどの対応をとることができる。
【０１９８】
さらに、表示制御部３１によるコンテンツの表示は、一致すると判定した表示条件に関連付けられたコンテンツの数と入札金額とに基づいて、コンテンツを表示させる時間の長さの割合が算出され、算出された時間の長さの割合に応じて行われる。
【０１９９】
これによって、たとえば複数の落札者が同一の広告枠を落札し、各入札者の表示条件が重複する場合、表示制御部３１は、各コンテンツを表示する時間の長さの割合をそれぞれ算出する。したがって、表示制御部３１は、入札金額によって重み付けされた時間の長さによって、各コンテンツを表示することができる。
【０２００】
さらに、表示制御部３１によるコンテンツの表示は、一致すると判定した表示条件に関連付けられたコンテンツの数と入札金額とに基づいて、コンテンツを表示させる表示回数の割合が算出され、算出された表示回数の割合に応じて行われる。
【０２０１】
これによって、たとえば複数の落札者が同一の広告枠を落札し、各入札者の表示条件が重複する場合、表示制御部３１は、各コンテンツを表示させる表示回数の割合をそれぞれ算出する。したがって、表示制御部３１は、入札金額によって重み付けされた表示回数によって、各コンテンツを表示することができる。
【０２０２】
さらに、表示制御部３１によって、入札金額が低額のコンテンツよりも入札金額が高額のコンテンツが、時間的に先に表示される。
【０２０３】
これによって、表示制御部３１は、入札金額が高額のコンテンツを先に表示して広告表示装置３の近傍の視聴者に視聴させるので、入札金額が高額のコンテンツの訴求効果を高めることができる。
【０２０４】
さらに、表示制御部３１によるコンテンツの表示は、一致すると判定した表示条件に関連付けられたコンテンツの数と入札金額とに基づいて、コンテンツを表示させる領域の面積割合が算出され、算出された面積割合に応じて行われる。
【０２０５】
これによって、たとえば複数の落札者が同一の広告枠を落札し、各入札者の表示条件が重複する場合、表示制御部３１は、各コンテンツを表示させる領域の面積割合をそれぞれ算出する。したがって、表示制御部３１は、入札金額によって重み付けされた表示領域の大きさによって、各コンテンツを表示することができる。
【０２０６】
さらに、表示制御部３１によって、入札金額が低額のコンテンツよりも入札金額が高額のコンテンツの面積割合が大きくされ、前記領域に表示される。
【０２０７】
これによって、表示制御部３１は、入札金額が高額のコンテンツを大きく表示させるので、入札金額が高額のコンテンツの訴求効果を高めることができる。
【０２０８】
さらに、表示条件は、年齢および性別によって特定される。表示制御部３１に入力された映像の中に人が撮影されている場合、表示制御部３１によって、人の年齢および性別が判断され、判断された年齢および性別に基づいて、入力された映像が表示条件に一致するか否かが判定される。これによって、広告表示システム１は、落札者のコンテンツを視聴者の年齢および性別に応じて適切に表示し、コンテンツの訴求効果を高めることができる。
【０２０９】
さらに、本発明によれば、広告表示方法は、広告表示段階と、広告枠取引段階とを含む。広告枠取引段階では、予め定める時間帯にコンテンツを表示可能な広告表示装置３にコンテンツを表示させることができる広告枠が設定されて、広告枠の競売による取引を管理する。広告表示段階では、コンテンツを表示可能である。
【０２１０】
広告枠取引段階は、広告記憶工程と、入札制御工程と、入札状況記憶工程と、広告制御工程とを含む。広告記憶工程によって、広告枠の競売に情報通信網２８を介する通信によって参加する入札者を識別するための識別情報と、広告枠に表示されるべきコンテンツを表すコンテンツデータとが、互いに関連付けられた状態で記憶される。入札制御工程によって、入札者から情報通信網２８を介する通信によって入力される入札者の識別情報、入札者によって提示された入札金額を表す入札金額情報、およびコンテンツを表示させる対象者に関する表示条件を表す表示条件情報に基づいて、広告枠の落札者が決定される。入札状況記憶工程によって、入札制御工程で入力された識別情報、入札金額情報、および表示条件情報が、互いに関連付けられた状態で記憶される。広告制御工程によって、競売期間の終了後に、入札状況記憶工程で記憶される広告枠を落札した入札者の入札金額情報および表示条件情報と、広告記憶工程で記憶される広告枠を落札した入札者のコンテンツデータとが、互いに関連付けられた状態で広告表示装置３へ送信される。
【０２１１】
広告表示段階は、表示記憶工程と、表示制御工程とを含んで構成される。表示記憶工程によって、広告枠取引段階の広告制御工程で送信された入札金額情報、表示条件情報、およびコンテンツデータが、互いに関連付けられた状態で記憶される。広告表示装置３の近傍を撮影する映像撮影部３９から映像が入力され、入力された映像が、表示制御工程によって、表示記憶工程で記憶された表示条件情報が示す表示条件に一致するものであるか否かが判定され、一致するものであると判定された場合、その表示条件を表わす表示条件情報に関連付けられた広告情報が示す広告が、その広告情報の数と入札金額情報とに基づいて表示され、一致しないものであると判定された場合、表示記憶工程で記憶された広告情報が示す広告が表示されない。
【０２１２】
広告表示段階の表示制御工程では、表示させるコンテンツの数と入札金額とに応じてコンテンツを表示させるので、広告枠取引段階では、入札金額によって重み付けされた広告枠を販売することができる。これによって、広告枠取引段階では、同じ時間帯の広告枠に複数の入札があったときでも広告枠を複数の入札者に効率良く販売することができる。
【０２１３】
また表示制御段階では、入札者が希望する表示条件に一致する場合のみに、コンテンツを表示させる。これによって、広告表示段階では、特定の視聴者に対してコンテンツを効率良く表示させることができる。
【０２１４】
広告表示方法は、広告枠の販売からコンテンツの表示までを効率良く行うことができ、広告枠の販売に要する手間を可及的に少なくして、広告枠の販売およびコンテンツの表示の効率化を図ることができる。
【０２１５】
さらに、広告表示プログラムは、コンピュータを、広告表示システム１として機能させる。これによって、コンピュータを、広告表示システム１として機能させる広告表示プログラムを提供することができる。
【０２１６】
さらに、コンピュータ読み取り可能な記録媒体は、広告表示プログラムを記録する。これによって、広告表示プログラムを記録するコンピュータ読み取り可能な記録媒体を提供することができる。
【符号の説明】
【０２１７】
１  広告表示システム
２  広告枠取引装置
３  広告表示装置
６  オークションシステム
７  広告枠取引システム
１１  入札者認証部
１２  通信部
１３  入札制御部
１４  入札状況記憶部
１５  入札者情報記憶部
１６  広告枠記憶部
１７  コンテンツ制御部
１８  コンテンツ記憶部
１９  コンテンツ登録部
２０  料金徴収部
２１  コンテンツ送信部
２２  表示条件送信部
２６  入札者端末
２８  情報通信網
２９  通信線
３０  配線
３１  表示制御部
３２  表示記憶部
３３  表示駆動部
３４  表示部
３５  年齢判断部
３６  性別判断部
３７  条件判断部
３８  コンテンツ選択部
３９  映像撮影部
４１  登録コンテンツ情報
４２  入札者情報
４３  入札状況情報
４４  広告枠確定情報
５１  端末装置
５２  オークション管理サーバ
５３  広告枠情報管理サーバ
５４  取引実行システム
５５  ネットワーク
５６  市場管理部
５７  広告送出管理部
５８  視聴者端末
５９  メディア端末
６０  スポンサー端末
【図１】
2011059743.tif 000003
【図２】
2011059743.tif 000004
【図３】
2011059743.tif 000005
【図４】
2011059743.tif 000006
【図５】
2011059743.tif 000007
【図６】
2011059743.tif 000008
【図７】
2011059743.tif 000009
【図８】
2011059743.tif 000010
【図９】
2011059743.tif 000011
【図１０】
2011059743.tif 000012
【図１１】
2011059743.tif 000013
【図１２】
2011059743.tif 000014
【図１３】
2011059743.tif 000015
【図１４】
2011059743.tif 000016
【図１５】
2011059743.tif 000017
【図１６】
2011059743.tif 000018
【図１７】
2011059743.tif 000019
【図１８】
2011059743.tif 000020
【図１９】
2011059743.tif 000021
【図２０】
2011059743.tif 000022
【図２１】
2011059743.tif 000023
【図２２】
2011059743.tif 000024